(57)【特許請求の範囲】
【請求項１】
袋体の口縁部を容器の開口側周縁部に被覆し、該袋体の底部側を容器内部に収容した状態に敷設する袋敷設装置であって、
上記袋体を、該袋体が繰出される袋繰出し部から引下げる袋引下げ手段と、
上記袋引下げ手段により引下げられて供給される袋体を保持し、容器の開口側周縁部に対して被覆可能な大きさに開口する袋開口手段と、
上記袋開口手段により開口した袋体の口縁部を保持して容器の開口側周縁部に被覆する袋被覆手段を備えるとともに、
上記袋引下げ手段と袋被覆手段とを備える袋引出し被覆手段として、上記袋被覆手段と、該袋被覆手段の上部に袋引下げ手段とを取付けて一体的に設けた昇降枠と、該昇降枠の昇降手段を備え、
上記昇降枠を上限位置と下限位置とに昇降して、袋引下げ手段により次に被覆される袋体を袋繰出し部から引下げる動作と、袋被覆手段による袋開口手段により保持されている先に引出された袋体を容器の開口側周縁部に被覆する動作とを一回の昇降動作により略同時に行うことを特徴とする
袋敷設装置。
【請求項２】
上記袋開口手段の前段に、該袋開口手段に供給される連続袋体を容器のサイズと略対応する大きさに分離する袋分離手段を独立して備えた
請求項１記載の袋敷設装置。
【請求項３】
上記袋開口手段と袋引出し被覆手段とを連動して駆動する連動駆動手段を備えた
請求項１又は２記載の袋敷設装置。
【発明の詳細な説明】
【０００１】
【発明の属する技術分野】
この発明は、例えば段ボール紙や厚紙などで構成される箱体、合成樹脂や金属、木などで構成されるコンテナ等の容器内部に袋体を敷設する作業に用いられる袋敷設装置に関する。
【０００２】
【従来の技術】
従来、上述の袋体を敷設する装置としては、例えばフィルムロールから引出した袋体を、袋体搬送機構の上爪で保持して所定長さ引出した後、袋体拡開機構の吸着器により袋体の口部を吸着保持して開口する。袋体下降機構の下爪で袋体の口部を開口保持したまま降下させ、上面側が開口された箱体の開口側周縁部に被覆すると共に、送風機から吹出されるエアーにより袋体を表裏反転して、箱体内部に挿入する袋敷設装置（特開平１１−１３８６６４号公報）がある。
【０００３】
【発明が解決しようとする課題】
しかし、上述の装置は、袋体搬送機構の上爪と、袋体降下機構の下爪とを周回移動して、袋体を、箱体に被覆及び敷設するので、上爪と下爪との周回タイミングを一致させることが難しく、上下爪の周回速度を速くすると、保持ミスが起きやすくなるため、袋体の敷設能力に限界がある。
【０００４】
また、上爪で保持した袋体を定位置に移動した後、その袋体を、下爪で保持して箱体の開口側周縁部に被覆するので、上爪及び下爪が定位置に回帰移動するまで、次の袋体を開口する作業に即移行することができず、作業能率が悪い。且つ、袋体搬送機構及び袋体降下機構を連動する機構が複雑であるため、装置を製作するのに手間及び時間が掛かるという問題点を有している。
【０００５】
この発明は上記問題に鑑み、袋引下げ手段により次に被覆される袋体を袋繰出し部から引下げる動作と、袋被覆手段による袋開口手段により保持されている先に引出された袋体を容器の開口側周縁部に被覆する動作とを略同時に行うことにより、袋体を敷設するときに要する時間が短縮され、作業の能率アップ及び処理能力の向上を図ることができる袋敷設装置の提供を目的とする。
【０００６】
【課題を解決するための手段】
請求項１記載の発明は、袋体の口縁部を容器の開口側周縁部に被覆し、該袋体の底部側を容器内部に収容した状態に敷設する袋敷設装置であって、上記袋体を、該袋体が繰出される袋繰出し部から引下げる袋引下げ手段と、上記袋引下げ手段により引下げられて供給される袋体を保持し、容器の開口側周縁部に対して被覆可能な大きさに開口する袋開口手段と、上記袋開口手段により開口した袋体の口縁部を保持して容器の開口側周縁部に被覆する袋被覆手段を備えるとともに、上記袋引下げ手段と袋被覆手段とを備える袋引出し被覆手段として、上記袋被覆手段と、該袋被覆手段の上部に袋引下げ手段とを取付けて一体的に設けた昇降枠と、該昇降枠の昇降手段を備え、上記昇降枠を上限位置と下限位置とに昇降して、袋引下げ手段により次に被覆される袋体を袋繰出し部から引下げる動作と、袋被覆手段による袋開口手段により保持されている先に引出された袋体を容器の開口側周縁部に被覆する動作とを一回の昇降動作により略同時に行うことを特徴とする袋敷設装置である。
【０００７】
請求項２記載の発明は、上記請求項１記載の構成と併せて、上記袋開口手段の前段に、該袋開口手段に供給される連続袋体を容器のサイズと略対応する大きさに分離する袋分離手段を独立して備えた袋敷設装置であることを特徴とする。
【０００８】
請求項３記載の発明は、上記請求項１又は２記載の構成と併せて、上記袋開口手段と袋引出し被覆手段とを連動して駆動する連動駆動手段を備えた袋敷設装置であることを特徴とする。
【０００９】
【作用及び効果】
請求項１記載の発明によると、袋開口手段に対して袋体を供給する袋引下げ手段により次に被覆される袋体を袋繰出し部から引下げる動作と、袋被覆手段による袋開口手段により保持されている先に引出された袋体を容器の開口側周縁部に被覆する動作とを略同時に行うので、袋体を敷設するときに要する時間が大幅に短縮され、装置全体の動作及び時間に無駄がなく、敷設作業が能率的に行えると共に、処理能力の向上を図ることができる。また、袋被覆手段により先に引出された袋体を開口保持して容器に被覆する際に、袋引下げ手段により次に被覆される袋体を予め引出し準備しておくので、次の袋体を開口及び被覆する作業に即移行することができ、作業能率が向上する。
【００１０】
請求項２記載の発明によると、袋分離手段を独立駆動して、袋開口手段に供給される連続袋体を一つの袋体に分離するので、その連続袋体を分離するときのタイミングを可変調節するだけで、袋体のサイズを自由に変更することができる。
【００１１】
請求項３記載の発明によると、袋開口手段と、袋引出し被覆手段とを一つの連動駆動機構により駆動するので、駆動手段を個々に設ける必要がなく、装置全体の構成及び構造を簡素化することができる。且つ、装置の製作が簡単且つ容易に行え、安価に製作することができる。
【００１２】
【実施例】
この発明の一実施例を以下図面に基づいて詳述する。
図面は容器の一例である上面側を開口した箱体内部に袋体を敷設する作業に用いられる袋敷設装置を示し、図１及び図２に於いて、この袋敷設装置１は、ロール状に巻回した筒状のフィルム原反ｆを、装置側部に設けた支持機構２により支持し、支持機構２から引出したフィルム原反ｆを、装置上部の分離位置ａに設けた分離機構３により一つの袋体Ｆに分離する。
【００１３】
且つ、分離機構３下部に設けた袋開口機構４により袋体Ｆの口縁部Ｆａを開口し、袋開口機構４下部に設けた袋被覆機構５により袋体Ｆの口縁部Ｆａを開口保持して、搬送コンベア６上の装填位置ｂに搬送した箱体Ｂの開口側周縁部に被覆する。袋被覆機構５上部に設けた袋引下げ機構７によりフィルム原反ｆを引下げ、袋長さ調節機構８によりフィルム原反ｆを所定長さに弛ませる。
【００１４】
上述の支持機構２は、例えば合成樹脂又は紙のような材質等を複合した透光性を有するフィルム原反ｆを、扁平状態（例えばガゼット折り状態、平折り状態）に折畳んだまま巻回して引出し可能に支持する。また、モータ（図示省略）により引出し量に対応して繰出し方向に回転したり、巻取り方向に回転してもよい。
【００１５】
フィルム原反ｆは、ダンサーロール１１及びガイドロール１２，１３，１４，１５と、分離位置ａ上部に軸架した支持ロール１６と押えロール１７とに周回され、引出し側端部を、ローラ１６，１７下部に架設した繰出し板１８，１８の間に挿入して略垂直に引出しガイドする。また、ロール１２〜１７の何れか一つ又は複数を減速機付きモータ（図示省略）により送り方向に回転してもよい。
【００１６】
前述の分離機構３は、図３、図４にも示すように、鋸刃状の切断刃２４が出没許容される形状の受け部材２５ａを、繰出し板１８，１８下部に引出されるフィルム原反ｆの右側面と対向して支持枠１９に取付け、切断刃２４が接触回避される凹状の受け部材２５ｂを、切断刃２４と対向して支持枠２０に取付けている。
【００１７】
支持枠１９背面に固定した進退シリンダ２１は、切断刃２４を、受け部材２５ａ前面に突出する方向に前後動して、フィルム原反ｆを所定長さに切断する。
【００１８】
一方、電源（図示省略）に接続した加熱ヘッド２６を、フィルム原反ｆの切断部分よりも下位左側面と対向して支持枠２０前面に取付け、耐熱性を有する受け部材２７を、加熱ヘッド２６と対向して支持枠１９に取付けている。
【００１９】
支持枠２０背面に固定した進退シリンダ２２は、加熱ヘッド２６を、フィルム原反ｆの切断側下部が受け部材２７に対して押圧される方向に前後動して、フィルム原反ｆを幅方向に熱シールする。また、切断刃２４に代わる他の切断手段として、例えばカッタや回転刃等の刃を幅方向に移動させて切断してもよい。
【００２０】
且つ、剥離部材２８を、フィルム原反ｆの切断部分よりも上位側面と対向して支持枠１９，２０に取付け、移動シリンダ（図示省略）によりフィルム原反ｆの開口側縁部に沿って相反する方向に相対移動して、フィルム原反ｆの切断部分に近い部分を接触抵抗により幅方向に変位させ、フィルム原反ｆの開口側対向縁部を剥離する。
【００２１】
また、剥離部材２８を、後述する負圧発生手段（図示省略）に接続して、フィルム原反ｆの対向縁部を負圧により剥離してもよい。
【００２２】
上述の支持枠１９端部は、分離機構３の両側部に軸架したガイド軸２９に対して前後移動可能に係合され、支持枠２０の端部を、ガイド軸２９の一端側に固定し、支持枠３０の端部を、ガイド軸２９の他端側を固定している。
【００２３】
且つ、支持枠１９の後方側枠部３５に鉛直軸受した支持軸３１と、支持枠１９，３０との間を、アーム３２とリンク３３とで連結して、枠部３５に固定した進退シリンダ３４により支持枠１９を前後移動させ、支持枠１９，２０を、フィルム原反ｆと対向する方向に相対移動する。
【００２４】
前述の袋長さ調節機構８は、高さ検知センサ（図示省略）による検知に基づいて駆動され、図５にも示すように、ロール３６，３６を、分離機構３下部に引出されるフィルム原反ｆの左側面と対向して支持枠３８に取付け、ロール３６の間に挿入されるロール３７を、支持枠３９に取付けている。
【００２５】
且つ、支持枠３８，３９を、枠部３５下面に取付けたガイド軸２９と、支持枠３０と、支持軸３１と、アーム３２と、リンク３３とでフィルム原反ｆと対向する方向に相対移動して、袋引下げ機構７により引下げられたフィルム原反ｆをロール３６，３７により蛇行する状態に押圧して、フィルム原反ｆを、箱体Ｂのサイズに対応して所定長さに弛みを持たせる。
【００２６】
前述の袋開口機構４は、図６にも示すように、吸着子４０を、袋引下げ機構７により下限位置に引下げられたフィルム原反ｆの開口側両縁部と対向して支持枠４１前面に取付け、相対向する吸着子４０を幅方向に変位させて取付けると共に、例えばコイルスプリングや合成ゴム等の弾性体によりフィルム原反ｆに対して押圧される方向に付勢している。
【００２７】
一方、側面から見て略Ｌ字状の挾持板４２を、吸着子４０と対向して支持枠４１下面に取付けると共に、支持枠４１端部に取付けた挾持シリンダ４３により、吸着子４０の吸着面に対してフィルム原反ｆ又は袋体Ｆの開口側縁部を押圧する閉角度と、その押圧が解除される開角度とに回動する。
【００２８】
且つ、支持枠４１上端に固定した支軸４４両端部を、分離機構３の両側部に交差して軸支した支持アーム４５，４５の下端部に固定し、支持アーム４５，４５の上端部を、分離機構３上部に軸架した支軸４６，４６の端部に固定して、支軸４６，４６の端部に固定したギャ４７，４７を互い歯合している。
【００２９】
一方の支持アーム４５下端部に連結したクランク棒４８を、右側上部に軸支した回転板４９の円周上に連結して、回転板４９の回転により、支持アーム４５，４５を、左右の吸着子４０がフィルム原反ｆ又は袋体Ｆの開口側縁部に対して押圧される閉角度と、吸着子４０で保持した袋体Ｆの開口側縁部が箱体Ｂの開口側周縁部に対して被覆可能な大きさに開口される開角度とに回動する。
【００３０】
上述の吸着子４０は、例えば吸気ブロワや真空ポンプ等の負圧発生手段（図示省略）に接続され、フィルム原反ｆの開口側縁部に対して押圧したとき、その吸着面に生じる負圧によりフィルム原反ｆの開口側縁部を吸着保持する。
【００３１】
前述の袋引下げ機構７は、例えば合成ゴムや軟質樹脂等の接触抵抗の大きい部材を装着又は歯面や凹凸等を挾持面側に形成した一対のチャック７ａを、フィルム原反ｆの両側縁部と対向して、搬送コンベア６を跨ぐ状態に架設した昇降枠５０の短手側支持枠５０ａに取付け、支持枠５０ａに取付けた挾持シリンダ７ｂにより、チャック７ａ，７ａを、フィルム原反ｆの両側縁部が挾持される閉角度と、その挾持が解除される開角度とに回動する。
【００３２】
且つ、袋引下げ機構７の下部には、気体供給源（例えばコンプレッサーや送風ブロワー等）に接続した噴射ノズル５１を、後述する袋保持体５２で保持される袋体Ｆ底部に向けて取付けている。また、気体供給源から供給される気体を袋体Ｆに直接吹付けてもよい。その気体に代わる他の物として、例えばアルコールやエタノール等の蒸発気化するような液体又は液化気体を用いてもよい。
【００３３】
前述の袋被覆機構５は、図７にも示すように、袋保持体５２を、上述の吸着子４０で開口するフィルム原反ｆ又は袋体Ｆの開口側内縁部と対向して昇降枠５０の長手側縁部に取付け、板状又は棒状に形成した袋保持体５２の基端部を、搬送コンベア６と平行して昇降枠５０の長手側縁部に取付けたロータリ式の保持シリンダ５３に直結して、吸着子４０により開口したフィルム原反ｆ又は袋体Ｆの開口側内縁部が緊張状態に保持される略鉛直姿勢と、その保持が解除される略水平姿勢とに回動（略９０度）する。
【００３４】
且つ、保持シリンダ５３の側部に取付けた回動シリンダ５４は、保持シリンダ５３全体を、吸着子４０により開口したフィルム原反ｆ又は袋体Ｆの開口縁部に対して袋保持体５２が挿入される角度（又は開口縁部が緊張される斜め外向き角度）と、その挿入が回避される斜め下向き角度とに回動する。
【００３５】
一方、昇降枠５０の四隅部を、搬送コンベア６の両側部に立設したガイド軸５５に対して上下移動可能に取付け、昇降枠５０の両側端部に連結したクランク棒５６を、搬送コンベア６の下部両側に軸支した回転板５７の円周上に連結して、回転板５７の回転により昇降枠５０全体を上下動させ、袋引下げ機構７のチャック７ａを、繰出し板１８，１８下部に引出したフィルム原反ｆの両側縁部が挾持される上限位置と、チャック７ａで挾持したフィルム原反ｆの開口側両縁部が吸着子４０により吸着される下限位置とに上下動する。
【００３６】
且つ、袋被覆機構５の袋保持体５２を、吸着子４０により開口した袋体Ｆの開口側内縁部に対して挿入される上限位置と、袋保持体５２で保持した袋体Ｆの口縁部Ｆａが搬送コンベア６上の装填位置ｂに搬送された箱体Ｂの開口側縁部に被覆される下限位置とに上下動する。また、クランク棒４８，５６及び回転板４９，５７に代わる他の昇降手段として、例えばエアシリンダやソレノイド、チェーン、カム等を用いてもよい。
【００３７】
前述の搬送コンベア６は、図２にも示すように、送りチェーン５８を、始端部及び終端部に軸支したスプロケット５９の間に張架し、送り部材６０（例えばアタッチメント）を、送りチェーン５８全長に対して一個ずつ箱体Ｂが積載される間隔に隔てて取付け、送りチェーン５８の両側部に、送りローラ６１…を搬送方向に対して所定間隔に隔てて配列している。
【００３８】
且つ、始端側下部に配設した減速機付きモータ６２は、スプロケット６３，６４，６５，６６，６７，６８と、チェーン６９，７０，７１と、変速機７２とを介して、送り部材６０を搬送方向に周回移動させ、送りチェーン５８上に積載された箱体Ｂを装填位置ｂに確実搬送する。また、始端側の送りローラ６１…を、モータ（図示省略）により回転駆動してもよい。
【００３９】
且つ、スプロケット６３の軸端部に連結したギャボックス７５と、右側上部に設けたギャボックス７６とを伝達軸７７で連結し、ギャボックス７６と回転板４９とを伝達軸７８で連結して、支持アーム４５を連動して回動すると共に、スプロケット６４，６５の軸端部に固定した回転板５７を回転して、昇降枠５０を連動して上下動する。
【００４０】
装填位置ｂに配設したストッパ７３は、同位置下部に配設した出没シリンダ７４により出没動作され、一つの箱体Ｂを装填位置ｂに一旦停止する。
【００４１】
また、次の箱体Ｂを、出没式又は旋回式のストッパ（図示省略）により搬送コンベア６の始端部直前に一旦停止してもよい。加えて、装填位置ｂに停止された箱体Ｂを、例えばプッシャや幅寄せ板等の幅寄せ手段により基準位置に幅寄せしてもよい。
【００４２】
図示実施例は上記の如く構成するものにして、以下、袋敷設装置１による袋体Ｆを箱体Ｂ内部に敷設する動作を説明する。
先ず、図１、図８に示すように、支持機構２から引出したフィルム原反ｆを、ロール１６，１７を介して、繰出し板１８，１８の間に挿入した後、袋被覆機構５の昇降枠５０を上限位置に上昇して、繰出し板１８下部に引出されたフィルム原反ｆの両側縁部を、袋引下げ機構７のチャック７ａ，７ａで挾持する。
【００４３】
次に、図９に示すように、昇降枠５０を下限位置に降下して、フィルム原反ｆを開口可能に高さに引下げた後、袋長さ調節機構８のロール３６，３７によりフィルム原反ｆを押圧して、箱体Ｂのサイズに対応して弛ませ量を可変調節する。
【００４４】
且つ、分離位置ａに引出されたフィルム原反ｆの全幅を、分離機構３の切断刃２４で切断し、その下位を加熱ヘッド２６で熱シールして、一つの袋体Ｆに分離する。同時に、袋開口機構４の吸着子４０…によりフィルム原反ｆ又は袋体Ｆの開口側両縁部を吸着保持して、箱体Ｂの開口側周縁部に対して被覆可能な大きさに開口する。
【００４５】
再び、昇降枠５０を上昇して、吸着子４０…で開口した袋体Ｆの口縁部Ｆａを、略鉛直に回動した袋保持体５２…により開口状態に保持する。この後、切断刃２４及び加熱ヘッド２６を初期位置に復帰させ、吸着子４０…による吸着保持を解除する。
【００４６】
一方、上面側を開口した箱体Ｂを、搬送コンベア６上の装填位置ｂに搬送停止した後、図７にも示すように、昇降枠５０を下限位置に降下して、袋保持体５２…で開口保持した袋体Ｆの口縁部Ｆａを、箱体Ｂの開口側外周縁部（又はフラップ）に被覆する。
【００４７】
被覆直前に於て、噴射ノズル５１から吐出する気体を、袋保持体５２…で保持した袋体Ｆの上面側に吹付け、その袋体Ｆを、箱体Ｂ内部に対して敷設される方向に表裏反転すると共に、箱体Ｂ内部と対応する大きさに拡張して挿入する。
【００４８】
また、吸着子４０又は袋保持体５２で保持した袋体Ｆを表裏反転した後、箱体Ｂ側を上昇させて袋体Ｆを挿入したり、押込み部材（図示省略）により強制的に装填してもよい。
【００４９】
次に、袋保持体５２…を解除姿勢に回動して、箱体Ｂと袋体Ｆの間から抜取り、袋保持体５２…による保持を解除した後、搬送コンベア６に載置された箱体Ｂを次工程（例えば袋詰工程、充填工程）に搬送する。
【００５０】
上述と同様にして、昇降枠５０を上限位置と下限位置とに昇降して、チャック７ａ，７ａで挾持したフィルム原反ｆ又は袋体Ｆを引下げる動作と、袋保持体５２…で開口保持した袋体Ｆの口縁部Ｆａを箱体Ｂに被覆する動作とを一回の昇降動作により略同時に行う。且つ、次の箱体Ｂを装填位置ｂに搬送して、袋体Ｆを、箱体Ｂ内部に敷設する作業を継続して行う。
【００５１】
以上のように、袋開口機構４に対してフィルム原反ｆ又は袋体Ｆを供給する動作と、袋開口機構４により開口した袋体Ｆの口縁部Ｆａを箱体Ｂの開口側周縁部に被覆する動作とを略同時に行うので、袋体Ｆを敷設するときに要する時間が大幅に短縮され、装置全体の動作及び時間に無駄がなく、敷設作業が能率的に行えると共に、処理能力の向上を図ることができる。
【００５２】
しかも、昇降枠５０を上限位置と下限位置とに昇降して、先に引出された袋体Ｆを袋被覆機構５で開口保持して箱体Ｂに被覆するとき、次に被覆されるフィルム原反ｆ又は袋体Ｆを袋引出し機構７により予め引出し準備しておくので、次の袋体Ｆを開口及び被覆する作業に即移行することができ、作業能率が向上する。
【００５３】
さらに、分離機構３を独立駆動して、袋開口機構４に供給されるフィルム原反ｆを一つの袋体Ｆに分離するので、そのフィルム原反ｆを分離するときのタイミングを可変調節するだけで、袋体Ｆのサイズを自由に変更することができる。
【００５４】
さらにまた、袋開口機構４と、袋被覆機構５及び袋引下げ機構７とを、モータ６２と、ギャボックス７５，７６と、伝達軸７７，７８と、クランク棒４８，５６と、回転板４９，５７とで構成される一つの連動駆動機構により駆動するので、機構４，５，７に駆動手段を個々に設ける必要がなく、装置全体の構成及び構造を簡素化することができる。且つ、装置の製作が簡単且つ容易に行え、安価に製作することができる。
【００５５】
この発明の構成と、上述の実施例との対応において、
この発明の容器は、実施例の箱体Ｂに対応し、
以下同様に、
連続袋体は、フィルム原反ｆに対応し、
袋繰出し部は、繰出し板１８に対応し、
袋開口手段は、袋開口機構４に対応し、
袋引出し被覆手段は、袋被覆機構５（袋被覆手段）と、袋引下げ機構７（袋引下げ手段）とに対応し、
袋分離手段は、分離機構３に対応し、
連動駆動手段は、アーム４５と、クランク棒４８，５６と、回転板４９，５７と、モータ６２と、ギャボックス７５，７６と、伝達軸７７，７８又はチェーンやベルト、ネジ軸、カム等とに対応するも、
この発明は、上述の実施例の構成のみに限定されるものではない。
【００５６】
上述の吸着子４０に代わる他の開口方法として、例えばロール型の吸着子で開口したり、粘着剤や粘着テープ、チャックやアーム等により開口してもよく、さらに、所定サイズに形成した袋体Ｆを箱体Ｂ内部に敷設してもよい。
【００５７】
また、実施例のシリンダは加圧エアー供給源に接続され、シリンダに代わる駆動手段として、例えばソレノイドやモータ等のアクチュエータを用いてもよい。
【図面の簡単な説明】
【図１】  袋敷設装置による袋体の敷設動作を示す側面図。
【図２】  フィルム原反の引出し動作及び箱体の搬送動作を示す正面図。
【図３】  分離機構による分離動作を示す側面図。
【図４】  分離機構の進退動作を示す平面図。
【図５】  袋長さ調節機構の進退動作を示す平面図。
【図６】  袋開口機構による袋体の開口動作を示す側面図。
【図７】  袋被覆機構による袋体の被覆動作を示す平面図。
【図８】  袋引下げ機構の挾持動作及び袋被覆機構の保持動作を示す側面図。
【図９】  フィルム原反の引下げ動作及び袋体の被覆動作を示す側面図。
【符号の説明】
ｆ…フィルム原反
Ｆ…袋体
Ｆａ…口縁部
Ｂ…箱体
１…袋敷設装置
３…分離機構
４…袋開口機構
５…袋被覆機構
６…搬送コンベア
７…袋引下げ機構
７ａ…チャック
８…袋長さ調節機構
１８…繰出し板
２４…切断刃
２６…加熱ヘッド
３６，３７…ロール
４０…吸着子
５１…噴射ノズル
５２…袋保持体
【図１】
0004043689.tif 000002
【図２】
0004043689.tif 000003
【図３】
0004043689.tif 000004
【図４】
0004043689.tif 000005
【図５】
0004043689.tif 000006
【図６】
0004043689.tif 000007
【図７】
0004043689.tif 000008
【図８】
0004043689.tif 000009
【図９】
0004043689.tif 000010